(57)【要約】【課題】  温室栽培が条件の着生蘭を、温室使用に限定されないで、着生蘭栽培方法と鉢で栽培可能にした。【解決手段】  底から排水せず、側面から排水する底が凹んだ鉢に、葉、茎、根を、野生同様に着生蘭を植え込み、紐などで着生蘭固定具に固定し、成長休止期（冬季、乾季）は蘭の最低気温以上を維持し、こぼれないように給水し、貯水し蒸散させ湿度を上げ、着生蘭が吸水し乾いたら給水し、貯水しと、乾湿を繰り返し栽培する。成長期（夏季、雨季）は屋内外などで雨水自然給水と給水の併用で、余分な雨水は側面から排水し、栽培する。【選択図】図１
2008061639.tif 000002
【特許請求の範囲】
【請求項１】
鉢底より水が抜けない鉢底の凹みに、野生と同様に着生蘭を植え込み、成長休止期は、その蘭の最低気温以上を維持し、鉢に貯水し、着生蘭が吸水し乾いたら貯水し、乾燥と貯水を繰り返し栽培する。成長期は、雨水貯水や給水貯水し、貯水後の余分な水は、鉢の側面より排水する着生蘭の栽培方法。
【請求項２】
着生蘭固定具、を有し、底は凹んでおり、余分な給水は側面より排水する、底より水の抜けない鉢。
【請求項３】
鉢の補助具、を有し、底は凹んでおり、余分な給水は側面より排水する、底より水の抜けない鉢。
【請求項４】
着生蘭固定具、を追加した、請求項３に記載の鉢。
【請求項５】
鉢空中固定具、を追加した、請求項３または請求項４いずれかに記載の鉢。
【請求項６】
請求項５に記載の鉢を、鉢受け具で受け、請求項１の栽培方法で栽培する着生蘭の空中栽培方法。
【請求項７】
板の周から、板の中心に向かって、所要の長さで所要数切断し、切断部の左右を重ね合わせて接着して作る、鉢の製造方法。
【発明の詳細な説明】
【技術分野】
【０００１】  本発明は、着生蘭の、多様な環境での栽培方法と、鉢と鉢受け具に関するものである。
【背景技術】
【０００２】  胡蝶蘭などの着生蘭は水苔で根を包み、底に水抜き穴を有する鉢に植え込まれ、水苔は乾くと撥水し吸水しないので、水苔が乾かぬよう絶えず給水され、定温の温室内で１年中成長期の、最適環境で、促成で栽培されている。栽培の定説は、温室管理が必須である。
【発明の開示】
【発明が解決しようとする課題】
【０００３】  着生蘭の最低気温を、冬季エアコンで維持可能なことに着目し、温室を使用せず、冬季（乾季、成長休止期）屋内に取り込み、エアコン加温で最低気温以上を維持し、夏季（雨季、成長期）は屋内や屋外で自然栽培したが、冬越し屋内栽培７年間、植え込み材料で根を包んだ株は根腐れで全滅し、植え替え無いはみ出た根の株だけが生存した。調査の結果、成長期の定温に制御された温室ではないため、屋内は環境（湿度や気温など）が激変することが判明。剥き出しの根や葉は環境の激変に対応するが、水苔等で包まれ保護された根は対応出来ず根腐れ、と仮説。花落ちの着生蘭を購入し更に検証の結果、水苔等で包まれ保護された根はすべて根腐れし、葉と同じ環境の、はみ出た根は生きていた。成長期（雨季）完全維持の定温の温室と、最適環境が無いと、植え込み材料で根を包み込む栽培方法は、栽培不可能、と定説の原因が判明した。定説の原因解明に７年を要した。【０００４】  冬季（乾季、成長休止期）は、葉、茎、根を同じ環境にし、３年間テスト鉢植えの着生蘭、水苔を根の下に敷いた手作りの鉢植えの着生蘭、ヘゴ板に貼り付けた着生蘭、コルク樹皮に貼り付けた着生蘭が生き残った。さらに３年間この方法を続けたがしかし、これらの給水は、風呂場や台所に持ち込むか、洗面器などで水を受けて給水しなければならないので大仕事であった。【０００５】  又肥料は、液肥に制限された。植え替えは、コルク樹皮や素焼き鉢やヘゴ板に根が食い込み密着するため、困難を極め、根を痛めるので植え替えても枯死した。置き場所が制限され。棚が必要となり、水が抜けるため室内では水受け皿必須で、受け皿の水は給水後廃棄しなければならない、二重手間になった。
【課題を解決するための手段】
【０００６】  ５年前（着生蘭栽培開始１３年後の２００１年１月）浅い水受け皿と鉢の合体を発想。ほとんどの問題点が一瞬にして氷解した瞬間だった。こんなに簡単な発想ではたして実現可能かどうか野生着生蘭調査の結果、着生蘭は、樹木の樹皮や股、岩の上や割目に着生し、雨水や霧で乾湿を繰り返し成長しており、着生環境が、発想の鉢と遜色が無いことが判明した。また成長期の雨季は、雨水で絶えず入れ替わる新鮮な溜まり水と、雨水で運ばれる肥料で成長、成長を休止する成長休止期（冬季、乾季）は、乾湿の繰り返しが条件となり、着生蘭は水が滞留することを嫌い、水が滞留しない乾湿環境が最適なことも判明した。【０００７】  水受け皿と鉢を合体し浅い凹みの、鉢底から水が抜けない図１のような鉢にし、葉、茎、根、を野生と同様の同一の環境で植え、野生と同様に乾季、雨季、管理栽培した。さらに２年後、この発想は、条件を満たして有り余る発想であることが確認出来た。
【発明の効果】
【０００８】  鉢の内面が平滑な材料を用いるので、根が食い込まず、根の取り外しが容易となり、植え替えが簡単に出来る。固形肥料を鉢に置けばよいので、液肥との併用が可能になった。給水時間が大幅に短縮された。水受け皿不要となり、根の多い蘭は植え込み材料も不要となり、育ちが良くなった。貯水給水された水が蒸散するので、加湿装置不要となった。【０００９】  温室や屋内や屋外でも、４と７、６と７、を使えば縦に展開できるので、鉢の置く場所が約１０倍広くなり美観も増す。縦に段々に、空中栽培するので、空気を好む着生蘭には最適で生育も良い。
【発明を実施するための最良の形態】
【００１０】  ２、３、４、７、からなる、１に、野生と同様にして着生蘭を植え込み、成長期に施肥し、給水は野生と同様に乾季、雨季で管理栽培。
【実施例１】
【００１１】  １に、着生蘭を３で固定し野生と同様に管理栽培。成長休止期（冬季、乾季）は、温室や屋内でその蘭の最低気温以上を維持し、根の成長休止期は渇き気味に、根が成長し始めたら多めに貯水給水し、蒸散させ湿度を上げ、着生蘭が吸水し乾いたら貯水し給水と、乾湿を繰り返し栽培する。成長期（夏季、雨季）は温室や屋内や屋外の半日陰で栽培し、雨水自然給水と給水を併用し、施肥も野生と同様に管理栽培。貯水後の雨水や給水は鉢の側面より排水するので、着生蘭の嫌う水の滞留が無い。根の少ない着生蘭冬は、同一環境を損なうので、水苔で包まず、軽く覆うか、根の下に敷き、根の吸水力不足を助けても良い。
【実施例２】
【００１２】  木の板を切断し、図１、のように接着して皿の様に凹みを作り、３を鉢に固定し鉢底の外面に漏水防止の塗料を塗って１を製作。
【実施例３】
【００１３】  木の板を切断し、図２、のように接着して皿の様に凹みを作り、２、４を取り付け、３を４にテープを巻き固定し鉢底の外面に漏水防止の塗料を塗って１を製作。図２（ｂ）のように、７の穴に差し込み空中固定すれば縦に展開できて、省スペースで栽培可能。
【実施例４】
【００１４】  図３のように７に、６を差込、空中固定してもよいし、脱落防止用留め具で留めてもよい。３は、５にテープを巻き固定。３を２に固定してもよい。
【実施例５】
【００１５】  ３００×２２０の四角のコルク板四辺おのおのの中心から、コルク板の中心に向かって３．５ｃｍおのおの切断し、四ヶ所の切断部左右重ね合わせて接着して皿の様に凹みを作り、２、４を取り付け、３を４にテープを巻き固定し鉢底の外面に漏水防止の塗料を塗って１を製作。柔軟な板であればよい。ゴムの板でも可。大きさも実施例に限定しない。
【実施例６】
【００１６】木の板の片方を削って凹みを作り、片方に、４を取り付け、３と４をテープで巻き固定して１を製作。
【実施例７】
【００１７】  その蘭の貯水量となる鉢の深さは、着生蘭の大小にもよるが、風蘭や胡蝶蘭などは１センチ〜４センチぐらいが目安となる。側面の穴から排水してもよい。深すぎると、植え替えが難しい。鉢の形状は実施例に限定しない多角でもまるでも良い。鉢の縁が平でなく、高低があってもよい。鉢の材質は特に限定しない、鉢底から漏水しなければ良い。【００１８】  ２の形状は底から漏水しない材質の皿にコルクやゴムを貼り付けて全体補強してもよいし、図２の２のように部分補強してもよい。２の条件を満たせば材質は問わない。【００１９】  ３、の材質は限定しない。ビニール皮膜の金属の棒やステンレスの棒の先端を折り曲げて４とし、コの字に曲げて３としているが限定しない。プラスチックや木などでもよい。【００２０】  ３で蘭を固定し、３の他方を、１、２、４、５などに固定したり、挟んだり、または、１、２に穴を開け、穴に差して固定してもよい。小型の蘭は、接着剤で鉢底に固定。
【図面の簡単な説明】
【００２１】
【図１】説明図。（ａ）３を装着した１、の平面図。（ｂ）側面図。
【図２】説明図。（ａ）２に部品装着した１、の平面図。（ｂ）側面図。（ｃ）正面図。
【図３】説明図。２に部品装着し６を７に嵌めた１、の側面図。
【符号の説明】
【００２２】１、鉢底から水が抜けず、余分な水は鉢の側面より排水する、底が凹んだ着生蘭用鉢。２、補強、部品装着、台等、鉢を補助する鉢の補助具。３、着生蘭固定具。４、鉢空中固定用途の、吊り下げ用嵌め合わせ具。５、着生蘭固定具の固定具。６、鉢空中固定用嵌め合わせ具。７、嵌め合わせ具に適合し、鉢を空中固定する、鉢受け具。
【図１】
2008061639.tif 000003
【図２】
2008061639.tif 000004
【図３】
2008061639.tif 000005